(57)【要約】      （修正有）【課題】テーブル脚の折畳みおよび展開時の操作が特に簡単であるとともに、展開状態において非常に安定性の高い構造をなすテーブルを提供する。【解決手段】テーブル脚３を展開位置で固定するための支柱１２は、第１端１２ａで第２ヒンジ１３を中心に揺動可能にテーブル脚に取り付けられており、テーブル脚が展開位置にあるときにテーブル脚とテーブル天板２との角度を制限するストッパ１１を有し、テーブル脚が展開位置にあるときに、支柱は第２端１２ｂで、テーブル天板に取り付けられた支持面１４に摩擦接触する。支持面は、支柱の展開方向に第１端から第２端まで延在し、テーブル脚が展開位置にあるときの支持面の第１端と第２ヒンジとの距離は、テーブル脚が展開位置にあるときの支持面の第２端と第２ヒンジとの距離よりも大きくなるよう設けられている。【選択図】図３
2018033961.tif 000002
【特許請求の範囲】
【請求項１】
少なくとも１つのテーブル脚（３、４）とテーブル天板（２）とを備えたテーブル（１）であって、前記少なくとも１つのテーブル脚（３、４）が、少なくとも１つの第１ヒンジ（５、６）を中心に前記テーブル天板（２）に相対して展開位置と折畳み位置との間で揺動可能に取り付けられており、前記テーブル脚（３、４）を前記展開位置で固定するために支柱（１２）が設けられており、該支柱は、第１端（１２ａ）により第２ヒンジ（１３）を中心に揺動可能に前記テーブル脚（３、４）に取り付けられており、前記テーブル脚（３、４）が前記展開位置にあるときに、前記第１端の対向側に位置する第２端で前記テーブル天板（２）と相互作用関係にあり、前記テーブル脚（３、４）は、該テーブル脚（３、４）が展開位置にあるときにテーブル脚（３、４）とテーブル天板（２）との角度を制限するストッパ（１１）を有し、前記テーブル脚（３、４）が展開位置にあるときに、前記支柱（１２）は前記第２端（１２ｂ）により、前記テーブル天板（２）に取り付けられた支持面（１４）に摩擦接触する、テーブルにおいて、
前記支持面（１４）は、前記支柱（１２）の展開方向に第１端（１４ａ）から第２端（１４ｂ）まで延在し、前記テーブル脚（３、４）が展開位置にあるときの前記支持面（１４）の第１端（１４ａ）と前記第２ヒンジ（１３）との距離は、前記テーブル脚（３、４）が展開位置にあるときの前記支持面（１４）の第２端（１４ｂ）と前記第２ヒンジ（１３）との距離よりも大きく、それによって前記テーブル脚（３、４）が展開位置にあるときに、前記支柱（１２）が前記支持面（１４）とセルフロック摩擦接触していることを特徴とする、テーブル。
【請求項２】
前記テーブル脚（３、４）が展開位置にあるときの前記テーブル脚（３、４）とテーブル天板（２）との間の角度（α）は、９０°≦α≦１００°であることを特徴とする、請求項１に記載のテーブル（１）。
【請求項３】
テーブル脚（３、４）と支柱（１２）との間に、前記支柱（１２）を前記テーブル脚（３、４）から離反した位置へ押す少なくとも１つのばね要素（１５）が設けられていることを特徴とする、請求項１に記載のテーブル（１）。
【請求項４】
前記支持面（１４）は、曲線または直線に形成されていることを特徴とする、請求項１に記載のテーブル（１）。
【請求項５】
前記支持面（１４）は、該支持面（１４）の第１端（１４ａ）と第２端（１４ｂ）との接触箇所を有し、該接触箇所において、前記テーブル脚（３、４）が展開位置にあるときに前記支柱（１２）が前記支持面の第２端（１４ｂ）と前記セルフロック摩擦接触していることを特徴とする、請求項１に記載のテーブル（１）。
【請求項６】
前記支持面（１４）に滑り面（１８）または段部が前記支柱（１２）の折畳み方向に連結し、前記テーブル脚（３、４）を折り畳むと、前記支柱（１２）が前記滑り面（１８）または段部と接触することを特徴とする、請求項１に記載のテーブル（１）。
【請求項７】
前記テーブル脚（３、４）を折り畳むと、前記支柱（１２）が少なくとも段階的に前記滑り面（１８）と滑り接触することを特徴とする、請求項６に記載のテーブル（１）。
【請求項８】
前記支柱（１２）は、前記テーブル脚（３、４）に当接した位置と、前記支柱（１２）が前記セルフロック摩擦接触している離反位置との間で前記第２ヒンジ（１３）を中心に揺動可能であり、前記テーブル脚（３、４）が展開位置にあるときに、前記支持面（１４）が前記支柱（１２）の第１展開角度（β１）から前記支柱（１２）の第２展開角度（β３）まで延在することを特徴とする、請求項１に記載のテーブル（１）。
【請求項９】
前記テーブル脚（３、４）が展開位置にあるときに、前記支柱（１２）は、前記支持面（１４）の接触箇所（１４ｃ）においてセルフロック摩擦接触しており、前記支持面（１４）に対する前記支柱（１２）の角度が９０°＋／−７°であることを特徴とする、請求項１に記載のテーブル（１）。
【請求項１０】
前記支柱（１２）は、前記テーブル脚（３、４）に当接した位置と、前記支柱（１２）がセルフロック摩擦接触している離反位置との間で前記第２ヒンジ（１３）を中心に揺動可能であり、解除可能なロック要素（１７）が、前記支柱（１２）を前記離反位置で固定することを特徴とする、請求項１に記載のテーブル（１）。
【請求項１１】
前記ロック要素（１７）は振り子によってなり、該振り子は、前記テーブル（１）の向きに応じて、前記支柱（１２）が解放されている解放位置と前記支柱（１２）が固定されている係止位置との間で自在に揺動可能であることを特徴とする、請求項１０に記載のテーブル（１）。
【請求項１２】
前記振り子は、前記係止位置にあるときにリブ（２０）とブロックするように協働し、前記解放位置にあるときに前記リブ（２０）から離れる方向に揺動することを特徴とする、請求項１１に記載のテーブル（１）。
【発明の詳細な説明】
【技術分野】
【０００１】
本発明は、少なくとも１つのテーブル脚とテーブル天板とを備えたテーブルに関し、少なくとも１つのテーブル脚が、第１ヒンジを中心にテーブル天板に相対して展開位置（ａｕｓｇｅｋｌａｐｐｔｅ  Ｓｔｅｌｌｕｎｇ）と折畳み位置（ｅｉｎｇｅｋｌａｐｐｔｅ  Ｓｔｅｌｌｕｎｇ）との間で揺動可能に取り付けられている。
【背景技術】
【０００２】
このような折畳み式テーブルは最短時間で折り畳むことができ、場所をとらずに収納できる。テーブル脚を展開位置で固定するために、通常、支柱が設けられており、この支柱は、第１端でヒンジを中心に揺動可能にテーブル脚に取り付けられており、テーブル脚が展開位置にあるときに、第１端の対向側に位置する第２端でテーブル天板に固定される。支柱とテーブル天板との接続は、通常、十分に安定してはいるが、多くの場合、ほんの少し遊びがあるため、設置した状態のテーブルのわずかなぐらつきを完全には回避できない。テーブル脚が展開状態にあるときに支柱をテーブル天板に確実に固定するために、例えばスナップ締結装置（Ｓｃｈｎａｐｐｖｅｒｓｃｈｌｕｓｓ）が設けられており、このスナップ締結装置は、テーブルを畳むときに開かれなければならない。この場合、ひっかかって動かなくなることがしばしばあり、それによってテーブルを畳む速度が遅くなる。
【０００３】
特許文献１から、テーブル天板と枢着されたスタンド脚とを備えた折畳み式テーブルが公知である。この場合、スタンド脚にはそれぞれ１つの帯状の留め金具（Ａｎｋｅｒｅｌｅｍｅｎｔ）が枢着されており、スタンド脚の自由端は、これらの自由端をテーブル天板の下にある取付け金具に摩擦結合的に押し込むことによって、スタンド脚が止まるように形成されている。
【０００４】
特許文献１は、垂直部品における固定装置を備えた折畳み式テーブルを記載する。この場合、支え（Ｓｔｕｅｔｚｓｔｒｅｂｅ）は、テーブル天板を開いた場合にテーブル天板の下面にある係止装置（Ｒａｓｔｖｏｒｒｉｃｈｔｕｎｇ）に自動的に係止可能であり、この係止装置はハンドレバーによって解除可能である。
【先行技術文献】
【特許文献】
【０００５】
【特許文献１】独国特許出願公開第３９１６３４７号明細書
【発明の概要】
【発明が解決しようとする課題】
【０００６】
したがって、本発明は、テーブル脚の折畳みおよび展開時の操作が特に簡単である点で特徴的であるとともに、展開状態において非常に安定性の高い構造をなすテーブルを提供することが目的である。
【課題を解決するための手段】
【０００７】
上記課題は、本発明によれば請求項１の特徴により解決される。
【０００８】
本発明に係るテーブルは、少なくとも１つのテーブル脚とテーブル天板とを備え、少なくとも１つのテーブル脚が、少なくとも１つの第１ヒンジを中心にテーブル天板に相対して展開位置と折畳み位置との間で揺動可能に取り付けられており、テーブル脚を展開位置で固定するために支柱が設けられており、該支柱は、第１端で第２ヒンジを中心に揺動可能にテーブル脚に取り付けられており、テーブル脚が展開位置にあるときに、第１端の対向側に位置する第２端でテーブル天板と相互作用関係にあり、テーブル脚は、該テーブル脚が展開位置にあるときに、テーブル脚とテーブル天板との角度を制限するストッパを有し、テーブル脚が展開位置にあるときに、支柱は第２端で、テーブル天板に取り付けられた支持面に摩擦接触する。当該支持面は、支柱の展開方向に第１端から第２端まで延在し、テーブル脚が展開位置にあるときの支持面の第１端と第２ヒンジとの距離は、テーブル脚が展開位置にあるときの支持面の第２端と第２ヒンジとの距離よりも大きく、それによってテーブル脚が展開位置にあるときに、支柱が支持面とセルフロック摩擦接触（ｓｅｌｂｓｔｈｅｍｍｅｎｄｅｒ  Ｒｅｉｂｋｏｎｔａｋｔ）している。
【０００９】
セルフロック摩擦接触は、スナップ締結装置などの付加的な固定要素を操作しなくても、簡単に実現できる支柱の固定を可能にする。さらに、セルフロック摩擦接触は、テーブル脚の展開状態において非常に安定し、かつ遊びのない保持（Ｈａｌｔｅｒｕｎｇ）を可能にする。
【００１０】
本発明の他の実施形態は、従属請求項の主題である。
【００１１】
テーブルもしくはテーブル脚が展開位置にあるときに、テーブル脚とテーブル天板との間の角度αは、９０°≦α≦１００°、好ましくは９０°である。さらに、テーブル脚と支柱との間には、支柱をテーブル脚から離反した位置へ押す少なくとも１つのばね要素、特にコイルばねが設けられてもよい。このようにすることで、テーブル脚が展開すると、支柱は自動的に開いてセルフロック摩擦接触し、テーブル脚が展開位置にあるときにテーブル脚とテーブル天板との間の角度を制限するストッパとともに、テーブル天板へのテーブル脚の極めて安定し、かつ遊びのない固定を形成する。
【００１２】
支持面は湾曲して形成されていても平坦に形成されていてもよい。
【００１３】
テーブル脚を折り畳むためには、まず、支柱をばね要素の力に抗して、テーブル脚の方向に支持面の第１端の後方まで折畳み、それによってテーブル脚が解放され、同様に折り畳まれ得る。そのため、支柱の折畳み方向に、支持面に滑り面または段部が連結してもよい。この場合、支柱は、テーブル脚が折り畳まれたときに、滑り面または段部と少なくとも段階的に滑り（すなわち非セルフロック）接触をする。
【００１４】
本発明の好ましい一実施形態では、支持面は支柱に対して、テーブル脚が展開位置にあるときに支柱が支持面の接触箇所においてセルフロック摩擦接触しているように向けられ、その場合、接触箇所における支持面に対する支柱の角度は、９０°＋／−７°、好ましくは９０°＋／−５°である。このようにすることで、支柱と支持面との間に最適なセルフロック摩擦接触が達成される。
【００１５】
テーブルを設置した状態において支柱が誤って跳ね返り、それによってテーブルがその安定性を失うことのないようにするために、支柱を離反位置で固定する解除可能なロック要素が設けられている。ロック要素は、好ましくは振り子によってなり、該振り子は、テーブルの向きに応じて、支柱が解放されている解放位置と支柱が固定されている係止位置との間で自在に揺動可能である。さらに、振り子は、テーブルを設置し、支柱が展開したときに、テーブル脚に設けられたリブとブロックするように協働し（拘束位置）、テーブルを横向きに倒したときに解放位置へ揺動されることが予定されていてもよい。それにより、ロック要素は、手動のロックもしくはロック解除なしに機能する。
【図面の簡単な説明】
【００１６】
【図１】本発明に係るテーブルの正面図である。
【図２】図１によるテーブルの側面図である。
【図３】テーブル脚を展開したときの支柱の領域の詳細図である。
【図４】テーブル脚の折畳みもしくは展開時の支柱の領域の詳細図である。
【図５】テーブル脚を折り畳んだ状態における支柱の領域の詳細図である。
【図６】図３による詳細図の拡大図である。
【図７】横向きに倒したテーブルの側面図である。
【図８】係止位置にあるロック要素を示す図７の細部Ｘの領域の断面図である。
【図９】解放位置にあるロック要素を示す図７の細部Ｘの領域の断面図である。
【発明を実施するための形態】
【００１７】
本発明の他の実施形態を以下の実施例についての記載および図面をもとにして詳しく説明する。
【００１８】
図１および図２に示されたテーブル１は、テーブル天板２と２つのテーブル脚３、４とを備えた折畳み式テーブルである。各テーブル脚３、４は、テーブル天板２との接続領域に横梁３ａもしくは横梁４ａを有しており、この横梁において、各テーブル脚３、４がそれぞれ２つの離間した第１ヒンジ５、６を介して揺動可能にテーブル天板に取り付けられている。２つのテーブル脚３、４は、それぞれセンタースタンド柱（ｚｅｎｔｒａｌｅ  Ｓｔａｎｄｓａｅｕｌｅ）として形成されており、下部領域にはスタンド足８、９を有するクロスフットバー（Ｑｕｅｒｆｕｓｓｂｕｅｇｅｌ）７を具備している。
【００１９】
２つのテーブル脚３、４は同一に形成されているので、以下にはテーブル脚３についてしか記載していないが、テーブル脚４にも同じ意味のことが当てはまる。
【００２０】
図３〜図５は、テーブル天板２に対するテーブル脚３の異なった折畳み位置（Ｋｌａｐｐｓｔｅｌｌｕｎｇ）の線Ａ−Ａに沿う断面図である。この場合、テーブル脚の揺動運動は、第１ヒンジ５、６によって定義される揺動軸１０を中心に行われる。
【００２１】
図３によるテーブル脚３の展開位置において、テーブル脚３の上端３ｂは、テーブル天板に固着されていて揺動軸を中心としたテーブル脚３の揺動運動を制限するストッパ１１と接触する。この展開位置において、テーブル天板２とテーブル脚３とは実質的に互いに垂直に向いている。
【００２２】
テーブル脚３を図３による展開位置で固定するために支柱１２が設けられており、この支柱は、第１端１２ａにおいて第２ヒンジ１３を中心に揺動可能にテーブル脚３に取り付けられている。この場合、支柱１２は第２ヒンジ１３を中心に、図３による離反位置（ａｂｇｅｋｌａｐｐｔｅ  Ｓｔｅｌｌｕｎｇ）と、図５によるテーブル脚３に当接した位置（ａｎｇｅｋｌａｐｐｔｅｎ  Ｓｔｅｌｌｕｎｇ）との間で揺動可能である。支柱１２の第１端１２ａの対向側に位置する第２端１２ｂは、図３による離反位置において、テーブル天板２に装着された支持面１４とセルフロック摩擦接触する。図６は、この領域の拡大図を示す。
【００２３】
テーブル脚３と支柱１２との間には、支柱１２をテーブル脚３から離反した位置へ押す少なくとも１つのばね要素１５が設けられている。しかし、ばね要素は、例えばねじりばねとして第２ヒンジ１３に形成されていてもよい。
【００２４】
それによって、テーブル脚３を図５に示された位置から図３によるポジションへ展開した場合に、ばね要素１５によって支柱１２が自動的に一緒に離反し、図４による中間位置の後に図３もしくは図６に示された位置へ開き、この位置において、支柱１２の第２端１２ｂが支持面１４とセルフロック摩擦接触する。したがって、第２ヒンジ１３を中心に支柱１２はテーブル脚３に当接した位置と、支柱１２がセルフロック摩擦接触している離反位置との間で揺動可能であり、支持面１４は、テーブル脚が展開位置にあるときに支柱１２の第１展開角度β１（例えば９°の範囲）から第２展開角度β３（例えば１６°の範囲）まで延在する（図６を参照）。しかし、支柱１２は、支持面１４の端の手前で、例えば１２．５°の展開角度β２でセルフロック摩擦接触する。支持面１４に対する支柱１２の角度は、展開角度β１では約７°であり、展開角度β２では約５°であり、展開角度β３では約０°である。この場合、各角度は＋／−１．５°、好ましくは＋／−１°の公差を含む。
【００２５】
支持面１４は、図示された実施例では平坦に形成されているが、例えば湾曲した形状を有していてもよい。支持面は、少なくとも第１端１４ａから第２端１４ｂまで延在する。セルフロック摩擦接触は支持面の接触箇所１４ｃにおいて行われる。この場合、テーブル脚が展開位置にあるときの支持面１４の第１端１４ａと第２ヒンジ１３との距離は、第２端１４ｂと第２ヒンジ１３との距離よりも大きい。さらに、支柱１２の長さは、第２ヒンジ１３から第１端１４ａの距離よりもいくらか短い。それによって、展開角度β２になって初めてセルフロック摩擦接触が生じる。支柱１２は、図３による位置にあるときに、テーブル脚３およびテーブル天板２とともに静止三角形をなし、支持面１４に対して略垂直に向いており、それによってセルフロック摩擦接触を保証する。ばね要素１５によって、支柱１２と支持面１４との間に遊びのない接触が生じ、それによって設置した状態のテーブルが全く安定性の高い構造となる。
【００２６】
支柱１２の折畳み方向で、支持面１４には滑り面１８が連結する。この滑り面は、テーブル脚を折り畳む、および展開すると支柱１２の第２端１２ｂと接触する（図４）。テーブル脚を折り畳むためには、まず、支柱１２の展開角度がβ１よりも小さくなるまで支柱１２が折り畳まれる。その場合、支柱１２の第２端１２ｂが自由になり、テーブル脚３を折り畳むことができる。テーブル脚をさらに折り畳むと、支柱１２は、それ以上持ちこたえる必要がなく、少なくとも段階的に滑り面１８と滑り（すなわち非セルフロック）接触し、それによって、テーブル脚の折畳みの進行過程において支柱１２が同時に当接する。しかしこの場合、滑り面１８は、支柱１２の全当接運動を生ぜしめる必要はない。図示された実施例では、支柱１２は、テーブル脚３の折畳みのさらなる経過において、テーブル脚３への支柱１２の当接運動を止める突出部１９と接触する（図５）。
【００２７】
テーブル脚３を図５に示された位置から展開する場合、テーブル脚を図３による位置まで展開しさえすればよい。支柱１２は、ばね要素１５によって自動的に支持面１４の接触箇所１４ｃへ開いてセルフロック摩擦接触する。
【００２８】
テーブルが設置状態にあるときに支柱１２が誤って折り畳まれることを防止するためにロック要素１７が設けられている。このロック要素は、図示された実施例では振り子として形成されている。この振り子は揺動軸線２１を中心に揺動可能である。図３および図８によるテーブルの設置状態において振り子が係止位置にある。この係止位置において、振り子はテーブル脚部のリブ２０と協働し、それによって支柱１２を手で当接させることができなくなる。図７に示されるようにテーブルが横向きに置かれると直ちに、振り子が図８による係止位置から図９に示された解放位置へ揺動する。この解放位置において、振り子はもはやリブ２０と協働せず、それによって支柱１２を再び当接させることができる。しかし、振り子に代えて、例えば斜面と協働する玉などの、他のロック要素１７を使用することもできる。
【符号の説明】
【００２９】
１：テーブル                        ２：テーブル天板
３、４：テーブル脚                  ３ａ、４ａ：横梁
３ｂ：テーブル脚の上端              ５、６：第１ヒンジ
７：クロスフットバー                ８、９：スタンド足
１０：揺動軸                        １１：ストッパ
１２：支柱                          １２ａ：支柱の第１端
１２ｂ：支柱の第２端                １３：第２ヒンジ
１４：支持面                        １４ａ：支持面の第１端
１４ｂ：支持面の第２端              １４ｃ：支持面の接触箇所
１５：ばね要素                      １７：ロック要素
１８：滑り面                        １９：突出部
２０：リブ                          ２１：揺動軸線
Ｘ：細部                            α：角度
β１：第１展開角度                  β２：展開角度
β３：第２展開角度
【図１】
2018033961.tif 000003
【図２】
2018033961.tif 000004
【図３】
2018033961.tif 000005
【図４】
2018033961.tif 000006
【図５】
2018033961.tif 000007
【図６】
2018033961.tif 000008
【図７】
2018033961.tif 000009
【図８】
2018033961.tif 000010
【図９】
2018033961.tif 000011